(57)【要約】【課題】前眼部を対象としたＯＣＴアンギオグラフィー（ＯＣＴＡ）の検査時間を短縮する。【解決手段】被検眼Ｅの前眼部のＯＣＴアンギオグラフィーのデータを取得するＯＣＴユニット１００を備え、前眼部のＯＣＴアンギオグラフィーのデータ取得時に被検眼ＥにＬＣＤ３９から白色光を照射し、被検眼Ｅの瞳孔を縮小させる。瞳孔を縮小させることで、前眼部のＯＣＴアンギオグラフィーのデータ取得に必要なスキャン範囲を狭め、スキャンの要する時間を短縮する。【選択図】図１
2019165989.tif 000002
【特許請求の範囲】
【請求項１】
被検眼の前眼部のＯＣＴアンギオグラフィーのデータを取得するＯＣＴアンギオグラフィーデータ取得部と、
前記ＯＣＴアンギオグラフィーのデータ取得時に当該被検者の眼に可視光を照射する可視光照射部と
を備える眼科装置。
【請求項２】
前記可視光が照射された状態で瞳孔の大きさを測定する瞳孔測定部と、
前記瞳孔測定部が測定した前記瞳孔の大きさに基づいて、前記被検眼の前記前眼部における前記ＯＣＴアンギオグラフィーのデータの取得範囲を設定するデータ取得範囲設定部と
を更に備える請求項１に記載の眼科装置。
【請求項３】
前記可視光の照射を行う前の段階において、眼底撮影の有無に関する報知を実行する報知部を更に備える請求項１または２に記載の眼科装置。
【請求項４】
前記可視光照射部は、前記被検眼に可視光を照射し、前記被検眼の瞳孔を縮小させる請求項１〜３のいずれか一項に記載の眼科装置。
【請求項５】
前記可視光照射部は、前記被検者の前記被検眼でない他方の眼に可視光を照射する請求項１〜３のいずれか一項に記載の眼科装置。
【請求項６】
被検眼の前眼部のＯＣＴアンギオグラフィーのデータを取得する眼科測定方法であって、
当該被検者の眼に可視光を照射し、前記被検眼の瞳孔を縮小させるステップと、
前記瞳孔を縮小させた状態で前記被検眼のＯＣＴアンギオグラフィーのデータを取得するステップと
を備える眼科測定方法。
【請求項７】
コンピュータに読み取らせて実行させるプログラムであって、
コンピュータに
当該被検者の眼に可視光を照射し、前記被検眼の瞳孔を縮小させるステップと、
前記瞳孔の前記縮小を生じさせた状態で前記被検眼のＯＣＴアンギオグラフィーのデータを取得するステップと
を実行させるプログラム。
【発明の詳細な説明】
【技術分野】
【０００１】
本発明は、前眼部の血管の情報を調べる眼科装置に関する。
【背景技術】
【０００２】
ＯＣＴ（光干渉断層像(optical coherence tomography)）を用いた眼底の血管の状態を検査する技術として、ＯＣＴアンギオグラフィー（ＯＣＴＡ）が知られている（例えば、非特許文献１、特許文献１〜３参照）。この技術は、時間差をもって取得した同一箇所のＯＣＴ画像を比較し、動きの有る部分を血流がある部分として抽出し、血管を画像化するものである。この画像は、ＯＣＴＡ画像、アンギオ画像、血管強調画像、モーションコントラスト画像等と呼ばれている。また、このＯＣＴＡを前眼部に適用した技術も知られている（例えば、非特許文献２参照）。なお、ＯＣＴとＯＣＴＡのハードウェアに基本的に違いはなく、眼科装置側における技術的な違いは、検出した光干渉データの処理の仕方にある。よって、通常のＯＣＴ装置にＯＣＴＡ用の処理ソフトウェアをインストールすることで、ＯＣＴＡ画像を得ることができる。勿論、ＯＣＴＡに特化した眼科装置も実現可能である。
【先行技術文献】
【特許文献】
【０００３】
【非特許文献１】Japan Ophthalmic Instruments Association 2017 Annual Report（日本眼科医療機器協会）
【非特許文献２】American Journal of Ophthalmology Case Reports 6 (2017) 24-26
【特許文献１】特開２０１７―１４０３０２号公報
【特許文献２】特開２０１７−６１７９号公報
【特許文献３】特開２０１６−２０２９００号公報
【発明の概要】
【発明が解決しようとする課題】
【０００４】
ＯＣＴＡは、時間差を持って同一箇所に対して光干渉計測を多重に行うので、計測に時間を要するという問題がある。特に前眼部の場合、スキャン範囲も広くなるので、計測に更に時間がかかる。この計測時間は、現状で１０秒〜３０秒程度となっている。この計測時間が被検者にとって負担であった。
【０００５】
このような背景において、本発明は、前眼部を対象としたＯＣＴアンギオグラフィー（ＯＣＴＡ）の検査時間の短縮を目的とする。
【課題を解決するための手段】
【０００６】
本発明は、被検眼の前眼部のＯＣＴアンギオグラフィーのデータを取得するＯＣＴアンギオグラフィーデータ取得部と、前記ＯＣＴアンギオグラフィーのデータ取得時に当該被検者の眼に可視光を照射する可視光照射部とを備える眼科装置である。
【０００７】
本発明において、前記可視光が照射された状態で瞳孔の大きさを測定する瞳孔測定部と、前記瞳孔測定部が測定した前記瞳孔の大きさに基づいて、前記被検眼の前記前眼部における前記ＯＣＴアンギオグラフィーのデータの取得範囲を設定するデータ取得範囲設定部とを更に備える態様が挙げられる。
【０００８】
本発明において、前記可視光の照射を行う前の段階において、眼底撮影の有無に関する報知を実行する報知部を更に備える態様が挙げられる。本発明において、前記可視光照射部は、前記被検眼に可視光を照射し、前記被検眼の瞳孔を縮小させる態様が挙げられる。本発明において、前記可視光照射部は、前記被検者の前記被検眼でない方の眼に可視光を照射する態様が挙げられる。
【０００９】
本発明は、被検眼の前眼部のＯＣＴアンギオグラフィーのデータを取得する眼科測定方法であって、当該被検者の眼に可視光を照射し、前記被検眼の瞳孔を縮小させるステップと、前記瞳孔を縮小させた状態で前記被検眼のＯＣＴアンギオグラフィーのデータを取得するステップとを備える眼科測定方法として把握することもできる。
【００１０】
本発明は、コンピュータに読み取らせて実行させるプログラムであって、コンピュータに当該被検者の眼に可視光を照射し、前記被検眼の瞳孔を縮小させるステップと、前記瞳孔の前記縮小を生じさせた状態で前記被検眼のＯＣＴアンギオグラフィーのデータを取得するステップとを実行させるプログラムとして把握することもできる。
【図面の簡単な説明】
【００１１】
【図１】実施形態の眼科装置の構成図である。
【図２】実施形態のＯＣＴユニットの構成図である。
【図３】実施形態の演算制御ユニットの構成図である。
【図４】被検眼の瞳孔収縮前（Ａ）と瞳孔収縮後（Ｂ）を示す模式図である。
【図５】実施形態における処理の手順の一例を示すフローチャートである。
【発明を実施するための形態】
【００１２】
（眼科装置の概要）
本実施形態の眼科装置は、眼科カメラとＯＣＴＡ装置を複合化した構成を有する。ここで、本実施形態のＯＣＴＡ装置は、眼底（後眼部）のＯＣＴ画像およびＯＣＴアンギオグラフィー（以下ＯＣＴＡ画像）の取得、前眼部のＯＣＴ画像およびＯＣＴＡ画像の取得が可能である。本発明を利用した眼科装置としては、ＯＣＴＡ装置単体であってもよい。また、本発明を利用したＯＣＴＡ装置と組み合わせる眼科装置としては、ＳＬＯ、スリットランプ、眼科手術用顕微鏡等が挙げられる。
【００１３】
利用するＯＣＴの原理としては、フーリエドメインタイプのものを説明するが、ＯＣＴの原理は限定されず、スペクトラルドメインやのスウェプトソースといった他のＯＣＴ手法を用いることも可能である。
【００１４】
本実施形態の眼科装置は、被検眼の前眼部のＯＣＴＡ画像を取得する際に、被検眼の瞳孔を縮小させ、それによりＯＣＴＡ画像に必要な計測光のスキャン範囲を狭める。そして、スキャン範囲を狭めることで前眼部のＯＣＴＡ画像（前眼部の血管の強調画像）の取得に要する時間を短縮する。
【００１５】
眼科検査や眼科治療に必要な前眼部の血管の情報は、主に虹彩と瞳孔の境界付近から得られる。よって、瞳孔が小さくなれば、ＯＣＴＡの作成に必要なスキャン範囲を狭く設定できる。この原理を用いて、本実施形態では、ＯＣＴＡの作成に必要なスキャン時間を従来の技術に比べて短縮する。
【００１６】
図１には、本実施形態の眼科装置１が示されている。眼科装置１は、眼底カメラユニット２、ＯＣＴＡユニット１００、演算制御ユニット２００を含んでいる。眼底カメラユニット２は、従来の眼底カメラとほぼ同様の光学系を有する。ＯＣＴＡユニット１００は、眼底および前眼部のＯＣＴ画像およびＯＣＴＡ画像を取得するための光学系を有している。演算制御ユニット２００は、各種の演算処理や制御処理等を実行するコンピュータである。
【００１７】
（眼底カメラユニット）
眼底カメラユニット２は、照明光学系１０と撮影光学系３０を有している。照明光学系１０は、眼底Ｅｆに眼底撮影に用いる照明光を照射する。撮影光学系３０は、この照明光の眼底反射光を撮像装置であるＣＣＤイメージセンサ３５に導く。また、撮影光学系３０は、ＯＣＴＡユニット１００からのＯＣＴ（およびＯＣＴＡ）測定光を眼底Ｅｆに導くとともに、眼底Ｅｆを経由したＯＣＴ測定光（つまり眼底ＥｆからのＯＣＴ測定光の戻り光）をＯＣＴＡユニット１００に導く。また、撮影光学系３０は、被検眼Ｅの瞳孔を縮小させるための白色光を被検眼Ｅに導く。
【００１８】
照明光学系１０は観察照明光源１１を有する。観察照明光源１１は、検者が眼底を観察するための照明光を出力する。観察照明光源１１は、例えばハロゲンランプやＬＥＤにより構成される。観察照明光源１１から出力された光（観察照明光）は、曲面状の反射面を有する反射ミラー１２により反射され、集光レンズ１３を経由し、可視カットフィルタ１４を透過して波長７９０ｎｍ〜９１０ｎｍの近赤外光となる。可視カットフィルタ１４を通過した観察照明光は、眼底画像の撮影用の光源である撮影光源１５の近傍にて一旦集束し、ミラー１６により反射され、リレーレンズ１７、１８、絞り１９およびリレーレンズ２０を経由して、孔開きミラー２１に到る。孔開きミラー２１に到った観察照明光は、孔開きミラー２１の周辺部（孔部の周囲の領域）で反射され、ダイクロイックミラー４６を透過し、対物レンズ２２により屈折されて眼底Ｅｆを照明する。
【００１９】
観察照明光の眼底反射光は、対物レンズ２２により屈折され、ダイクロイックミラー４６を透過し、孔開きミラー２１の中心領域に形成された孔部を通過し、ダイクロイックミラー５５を透過し、合焦レンズ３１を経由し、ミラー３２により反射される。さらに、この眼底反射光は、ハーフミラー３９Ａを透過し、近赤外光を選択的に反射するダイクロイックミラー３３により反射され、集光レンズ３４によりＣＣＤイメージセンサ３５の受光面に結像される。ＣＣＤイメージセンサ３５は、たとえば所定のフレームレートで眼底反射光を検出する。ＣＣＤイメージセンサ３５が撮像した眼底画像は、表示装置３に表示され、この眼底画像が検者により観察される。観察照明光は、近赤外光であり、ＣＣＤイメージセンサ３５が撮像する観察画像は、近赤外画像となる。
【００２０】
なお、撮影光学系のピントが前眼部に合わせられている場合、被検眼Ｅの前眼部の観察画像がＣＣＤイメージセンサ３５で撮像され、その画像が表示装置３に表示される。また、表示装置３は、眼科装置１の操作や検査結果に関連する各種の情報が表示される。また眼科装置１は、表示装置３利用したＧＵＩ（グラフィカル・ユーザー・インターフェース）を備えている。検者は、このユーザーインターフェースを利用して眼科装置１の操作を行う。
【００２１】
眼科装置１は、眼底撮影を行うための光源である撮影光源１５を有している。撮影光源１５は、例えばキセノンランプやＬＥＤにより構成される。撮影光源１５から出力された光（撮影照明光）は、観察照明光と同様の経路を通って眼底Ｅｆに照射される。撮影照明光の眼底反射光は、観察照明光のそれと同様の経路を通ってダイクロイックミラー３３まで導かれ、近赤外光を選択的に反射するダイクロイックミラー３３を透過し、ミラー３６により反射され、集光レンズ３７によりＣＣＤイメージセンサ３８の受光面に結像される。
【００２２】
ＣＣＤイメージセンサ３８により検出された眼底反射光に基づく画像が眼底撮影画像として記録される。この眼底撮影画像は、可視光帯域の画像となる。また、表示装置３には、ＣＣＤイメージセンサ３８により検出された眼底撮影画像が表示される。表示装置３は、観察画像の表示と撮影画像の表示とを切り替え、あるいは両方を分割画面で同時に表示できる。この表示の形態は、眼科装置１を操作する者が選択できる。
【００２３】
ＬＣＤ（Ｌｉｑｕｉｄ  Ｃｒｙｓｔａｌ  Ｄｉｓｐｌａｙ）３９は、固視標や視力測定用指標を表示すると共に、被検眼Ｅの虹彩を中心方向に収縮させ、瞳孔径を小さくするための白色光を被検眼Ｅに照射する光源として機能する。被検眼Ｅが強い可視光を視認すると、網膜に届く光量を抑えるために虹彩が瞳中心の方向に収縮し、瞳孔が小さくなる。これは一般的な人体の反応である。この原理を利用し、被検眼Ｅに白色光を視認させることで、被検眼Ｅの瞳孔の径を小さくする。このための光源としてＬＣＤ３９が利用される。
【００２４】
固視標は、被検眼Ｅを固視させるための指標であり、眼底撮影時やＯＣＴＡ計測時などに使用される。この例では、上記の白色光の発光源となる白色の背景画面上に、固視標となる特定色の画像を表示した表示画面がＬＣＤ３９に表示される。固視標を構成する画像としては、視認し易い形状の図形、文字、物体を図案化したもの等が利用される。固視標の色は、白色の背景から浮かび上がって視認し易い色（例えば緑や青等）が選択される。
【００２５】
ＬＣＤ３９を透過型とし、背後から白色光を投影する形態やＬＣＤ３９として小型のものを用い、ＬＣＤの周囲に白色光源を配置した形態も可能である。被検眼Ｅの虹彩を収縮させ、瞳孔の径を小さくさせるための光は、特定の波長帯域の光（特定の色の光）よりもなるべく広い可視光帯域の波長を含む光、つまり白色光が好ましい。勿論、特定波長の光の利用を排除するものではない。
【００２６】
なお、被検眼Ｅに瞳孔径を小さくする目的でＬＣＤ３９を用いない構成として、対物レンズ２２の周囲に配置した光源から白色光の照明光を被検眼Ｅに照射する形態や撮影光学系３０の光軸上のどこかに白色光源を挿入する形態が挙げられる。
【００２７】
ＬＣＤ３９から出力された光は、その一部がハーフミラー３９Ａにて反射され、ミラー３２に反射され、合焦レンズ３１およびダイクロイックミラー５５を経由し、孔開きミラー２１の孔部を通過し、ダイクロイックミラー４６を透過し、対物レンズ２２を介して被検眼Ｅに照射される。ＬＣＤ３９の画面上における固視標の表示位置を変更することにより、被検眼Ｅの固視位置（視線の方向）を変更できる。
【００２８】
さらに、眼底カメラユニット２には、従来の眼底カメラと同様にアライメント光学系５０とフォーカス光学系６０が設けられている。アライメント光学系５０は、被検眼Ｅに対する装置光学系の位置合わせ（アライメント）を行うための近赤外光を用いた指標（アライメント指標）を生成する。フォーカス光学系６０は、眼底Ｅｆに対してフォーカス（ピント）を合わせるための指標（スプリット指標）を生成する。
【００２９】
アライメント光学系５０のＬＥＤ５１から出力された近赤外の光（アライメント光）は、絞り５２、５３およびリレーレンズ５４を経由してダイクロイックミラー５５により反射され、孔開きミラー２１の孔部を通過し、ダイクロイックミラー４６を透過し、対物レンズ２２により被検眼Ｅの角膜に投影される。
【００３０】
アライメント光の角膜反射光は、対物レンズ２２、ダイクロイックミラー４６および上記孔部を経由し、その一部がダイクロイックミラー５５を透過する。ダイクロイックミラー５５は、ＬＥＤ５１から出力された近赤外光を基本的に反射するが、一部透過する。このため、アライメント光の被検眼Ｅからの反射光の一部は、ダイクロイックミラー５５を透過する。この透過光は、合焦レンズ３１を通過し、ミラー３２により反射され、ハーフミラー３９Ａを透過し、ダイクロイックミラー３３に反射され、集光レンズ３４によりＣＣＤイメージセンサ３５の受光面に投影される。ＣＣＤイメージセンサ３５による受光像（アライメント指標）は、観察画像とともに表示装置３に表示される。ユーザは、従来の眼底カメラと同様の操作を行ってアライメントを実施する。また、演算制御ユニット２００がアライメント指標の位置を解析して光学系を移動させることによりアライメントを行ってもよい（オートアライメント機能）。
【００３１】
フォーカス調整を行う際には、照明光学系１０の光路上に反射棒６７の反射面を移動させる。この場合、フォーカス光学系６０のＬＥＤ６１から出力された光（フォーカス光）は、リレーレンズ６２を通過し、スプリット指標板６３により２つの光束に分離され、二孔絞り６４を通過し、ミラー６５に反射され、集光レンズ６６により反射棒６７の反射面に一旦結像されて反射される。さらに、フォーカス光は、リレーレンズ２０を経由し、孔開きミラー２１に反射され、ダイクロイックミラー４６を透過し、対物レンズ２２により屈折されて眼底Ｅｆに投影される。
【００３２】
フォーカス光の眼底反射光は、アライメント光の角膜反射光と同様の経路を通ってＣＣＤイメージセンサ３５により検出される。ＣＣＤイメージセンサ３５による受光像（スプリット指標）は、観察画像とともに表示装置３に表示される。演算制御ユニット２００は、従来と同様に、スプリット指標の位置を解析して合焦レンズ３１およびフォーカス光学系６０を移動させてピント合わせを行う（オートフォーカス機能）。また、スプリット指標を視認しつつ手動でピント合わせを行ってもよい。
【００３３】
ダイクロイックミラー４６は、眼底撮影用の光路からＯＣＴＡ計測用の光路を分岐させている。ダイクロイックミラー４６は、ＯＣＴＡ計測およびＯＣＴ計測に用いられる波長帯の光を反射し、眼底撮影に係る光を透過させる。このＯＣＴＡ計測用の光路（ＯＣＴ計測用の光路を兼ねる）には、ＯＣＴＡユニット１００の側から順に、コリメータレンズユニット４０、光路長変更部４１、ガルバノスキャナ４２、合焦レンズ４３、ミラー４４、リレーレンズ４５が配置されている。
【００３４】
コリメータレンズユニット４０は、ＯＣＴＡユニット１００から出力されるＯＣＴＡ用測定光を平行光束とする。光路長変更部４１は、図１に示す矢印の方向に移動可能とされ、ＯＣＴＡ計測用の光路の光路長を変更する。この光路長の変更は、被検眼Ｅの眼軸長に応じた光路長の補正や、干渉状態の調整などに利用される。光路長変更部４１は、たとえばコーナーキューブと、これを移動する機構とを含んで構成される。
【００３５】
ガルバノスキャナ４２は、ＯＣＴＡ計測用の光路を通過する光（測定光ＬＳ）の進行方向を変更する。それにより、眼底Ｅｆを測定光ＬＳでスキャン（操作）することができる。ガルバノスキャナ４２は、たとえば、測定光ＬＳをｘ方向にスキャンするガルバノミラーと、ｙ方向にスキャンするガルバノミラーと、これらを独立に駆動する機構とを備えている。それにより、測定光ＬＳをｘｙ平面上の任意の方向にスキャンすることができる。ＯＣＴＡのスキャンは、同一箇所に対して時間差をおいて複数回（例えば４回）行われる。
【００３６】
（ＯＣＴＡユニット）
図２を参照しつつＯＣＴＡユニット１００の構成の一例を説明する。ＯＣＴＡユニット１００には、眼底Ｅｆまたは前眼部のＯＣＴＡ画像を取得するための光学系が設けられている。この光学系は、従来のスペクトラルドメインタイプのＯＣＴ装置と同様の構成を有する。すなわち、この光学系は、低コヒーレンス光を参照光と測定光に分割し、眼底Ｅｆまたは前眼部を経由した測定光と、参照光路を経由した参照光とを干渉させて干渉光を生成し、この干渉光のスペクトル成分を検出するように構成されている。この検出結果（検出信号）は演算制御ユニット２００に送られる。
【００３７】
ＯＣＴＡユニット１００の光学系の構成は、通常のＯＣＴと同じであり、ＯＣＴＡユニット１００は、眼底および前眼部のＯＣＴ画像の作成も行える。
【００３８】
なお、スウェプトソースタイプのＯＣＴ装置の場合には、低コヒーレンス光源を出力する光源の代わりに波長掃引光源が設けられるとともに、干渉光をスペクトル分解する光学部材が設けられない。一般に、ＯＣＴＡユニット１００の構成については、光コヒーレンストモグラフィのタイプに応じた公知の技術を任意に適用することができる。
【００３９】
光源ユニット１０１は広帯域の低コヒーレンス光Ｌ０を出力する。低コヒーレンス光Ｌ０は、たとえば、近赤外領域の波長帯を含み、数十マイクロメートル程度の時間的コヒーレンス長を有する。なお、人眼では視認できない波長帯、たとえば１０４０〜１０６０ｎｍ程度の中心波長を有する近赤外光を低コヒーレンス光Ｌ０として用いてもよい。ここでは、ダイクロイックミラー４６で反射される波長を含む低コヒーレンス光Ｌ０が利用される。
【００４０】
フーリエドメインＯＣＴ（例えば、スウェプトソースＯＣＴ）を利用して生体眼の眼底を計測することが可能である。実施形態に適用可能なＯＣＴのタイプは、スウェプトソースＯＣＴに限定されず、例えばスペクトラルドメインＯＣＴ又はタイムドメインＯＣＴであってもよい。また、ＯＣＴの適用対象は眼底には限定されず、前眼部や硝子体であってもよい。
【００４１】
ＯＣＴユニット１００には、スウェプトソースＯＣＴを適用するための光学系が設けられている。この光学系は干渉光学系を含む。この干渉光学系は、波長可変光源（波長掃引型光源）からの光を測定光と参照光とに分割し、被検眼Ｅからの測定光の戻り光と参照光路を経由した参照光とを重ね合わせて干渉光を生成し、この干渉光を検出する。干渉光学系により得られた検出結果（検出信号）は、干渉光のスペクトルを表す信号であり、演算制御ユニット２００に送られる。
【００４２】
なお、ＯＣＴＡユニット１００が利用する光は、ダイクロイックミラー４６によって照明光学系１０や撮影光学系３０で用いる光と分離する必要があるので、照明光学系１０や撮影光学系３０で用いる光と異なる波長を含む光を用いる。光源ユニット１０１は、スーパールミネセントダイオード（Ｓｕｐｅｒ  Ｌｕｍｉｎｅｓｃｅｎｔ  Ｄｉｏｄｅ：ＳＬＤ）や、ＬＥＤや、ＳＯＡ（Ｓｅｍｉｃｏｎｄｕｃｔｏｒ  Ｏｐｔｉｃａｌ  Ａｍｐｌｉｆｉｅｒ）等の光出力デバイスを用いている。光源ユニット１０１から出力された低コヒーレンス光Ｌ０は、光ファイバ１０２によりファイバカプラ１０３に導かれて測定光ＬＳと参照光ＬＲに分割される。
【００４３】
参照光ＬＲは、光ファイバ１０４により導かれて光減衰器（アッテネータ）１０５に到達する。光減衰器１０５は、公知の技術を用いて、演算制御ユニット２００の制御の下、光ファイバ１０４に導かれる参照光ＬＲの光量を自動で調整する。光減衰器１０５により光量が調整された参照光ＬＲは、光ファイバ１０４により導かれて偏波調整器（偏波コントローラ）１０６に到達する。偏波調整器１０６は、たとえば、ループ状にされた光ファイバ１０４に対して外部から応力を与えることで、光ファイバ１０４内を導かれる参照光ＬＲの偏光状態を調整する。なお、偏波調整器１０６の構成はこれに限定されるものではなく、任意の公知技術を用いることが可能である。偏波調整器１０６により偏光状態が調整された参照光ＬＲは、ファイバカプラ１０９に到達する。
【００４４】
ファイバカプラ１０３により生成された測定光ＬＳは、光ファイバ１０７により導かれ、コリメータレンズユニット４０により平行光束とされる。さらに、測定光ＬＳは、光路長変更部４１、ガルバノスキャナ４２、合焦レンズ４３、ミラー４４、およびリレーレンズ４５を経由してダイクロイックミラー４６に到達する。そして、測定光ＬＳは、ダイクロイックミラー４６により反射され、対物レンズ２２により屈折されて眼底Ｅｆまたは前眼部に照射される。測定光ＬＳは、眼底Ｅｆまたは前眼部の様々な深さ位置において散乱（反射を含む）される。眼底Ｅｆまたは前眼部による測定光ＬＳの後方散乱光（戻り光）は、往路と同じ経路を逆向きに進行してファイバカプラ１０３に導かれ、光ファイバ１０８を経由してファイバカプラ１０９に到達する。
【００４５】
ファイバカプラ１０９は、測定光ＬＳの後方散乱光と、光ファイバ１０４を経由した参照光ＬＲとを干渉させる。これにより生成された干渉光ＬＣは、光ファイバ１１０により導かれて出射端１１１から出射される。出力端１１１から出射された干渉光ＬＣは、コリメータレンズ１１２により平行光束とされ、回折格子１１３により分光（スペクトル分解）され、集光レンズ１１４により集光されてＣＣＤイメージセンサ１１５の受光面に投影される。なお、図２に示す回折格子１１３は透過型であるが、たとえば反射型の回折格子など、他の形態の分光素子を用いることも可能である。
【００４６】
ＣＣＤイメージセンサ１１５は、たとえばラインセンサであり、分光された干渉光ＬＣの各スペクトル成分を検出して電荷に変換する。ＣＣＤイメージセンサ１１５は、この電荷を蓄積して検出信号を生成し、これを演算制御ユニット２００に送る。
【００４７】
ＯＣＴＡでは、同一箇所に対して複数回のスキャンが行なわれる。この場合、各スキャンのデータがＣＣＤイメージセンサ１１５から後述する演算制御ユニット２００に送られる。
【００４８】
本実施形態ではマイケルソン型の干渉計を採用しているが、たとえばマッハツェンダー型など任意のタイプの干渉計を適宜に採用することが可能である。また、ＣＣＤイメージセンサに代えて、他の形態のイメージセンサ、たとえばＣＭＯＳイメージセンサなどを用いることが可能である。
【００４９】
（演算制御ユニット）
演算制御ユニット２００は、眼科装置１の制御およびＣＣＤイメージセンサ１１５が検出した干渉光に基づくＯＣＴＡ画像の作成を行う。なお、演算制御ユニット２００は、眼底および前眼部のＯＣＴ画像の作成もできる。この点に関してな、通常のＯＣＴ装置と同じであるので説明は省略する。
【００５０】
以下、演算制御ユニット２００の構成について説明する。演算制御ユニット２００は、コンピュータとしての機能を有する。演算制御ユニット２００は、従来のコンピュータと同様に、マイクロプロセッサ、ＲＡＭ、ＲＯＭ、ハードディスクドライブ、通信インターフェイスなどに係る電子回路を含んでいる。演算制御ユニット２００は、専用のハードウェアで構成してもよいし、その一部または全部を汎用のＰＣ（パーソナル・コンピュータ）やＷＳ（ワークスステーション）で構成することも可能である。
【００５１】
図３に演算制御ユニット２００のブロック図を示す。演算制御ユニット２００は、動作制御部２０１、可視光照射制御部２０２、瞳孔径計測部２０３、ＯＣＴＡスキャン範囲設定部２０４、ＯＣＴＡスキャン制御部２０５、ＯＣＴＡデータ取得部２０６、ＯＣＴＡ画像作成部２０７を備える。これらの機能部は、専用の電子回路（ＦＰＧＡ等）で構成してもよいし、ソフトウェア処理により実現する形態でもよい。
【００５２】
動作制御部２０１は、眼科装置１各部の動作の制御を行う。可視光照射制御部２０２は、瞳孔の径を縮小させるための照射光の強度の調整を行う。この例において、可視光照射制御部２０２は、ＬＣＤ３９の白色画面部分の発光強度を調整する。この発光強度の調整は、後述する瞳孔径計測部２０３が計測した被検眼Ｅの瞳孔の径が予め定めた値以下、あるいは予め定めた収縮率以下（例えば、元の径の７０％以下）となるように行われる。
【００５３】
図４（Ａ）には、虹彩を収縮させ、瞳孔径を小さくする前の状態が示され、図４（Ｂ）には、可視光（ＬＣＤ３９からの白色光）を被検眼に照射し、虹彩を収縮させることで瞳孔径を小さくした後の状態が示されている。
【００５４】
瞳孔径計測部２０３は、ＣＣＤイメージセンサ３５または３８が撮像した前眼部画像に写った瞳孔の径を計測する。この瞳孔の径の計測は、画像中から瞳孔の画像情報を抽出し、画面座標から瞳孔の径を計算することで行われる。例えば、基準となる標準モデルの被検眼の瞳孔の実際の径と、撮影画像中での画素の数を数えることで得られる画面中における当該被検眼の瞳孔の径に対応する画素の数との関係を予め取得しておく。そして、この関係を利用して、検眼時におけるＣＣＤイメージセンサ３５または３８による被検眼Ｅの前眼部画像から、被検眼Ｅの瞳孔の径を計算する。この処理が瞳孔径計測部２０３で行われる。
【００５５】
ＯＣＴＡスキャン範囲設定部２０４は、前眼部におけるＯＣＴＡ画像を得るためのスキャン範囲の設定を行う。前眼部の血管情報で重要なのは、瞳孔と虹彩の境界付近における血管の状態である。これは、以下の理由による。通常、正常な状態では、瞳孔には血管は存在しない。しかしながら、前眼部における特定の疾患や異常において、血管が虹彩から瞳孔まで伸びたり、瞳孔と虹彩の境界付近で血管の異常が発生したりする。この場合、瞳孔と虹彩の境界付近における血管の状態を観察することが眼科診察の上で重要となる。
【００５６】
ＯＣＴＡスキャン範囲設定部２０４は、瞳孔と虹彩の境界付近がＯＣＴＡのスキャン範囲に入るように当該スキャン範囲の設定を行う。このスキャン範囲の設定に係る処理は、以下のようにして行われる。
【００５７】
まず、矩形のスキャン範囲に内接する円を設定する。そしてこの円の中心をＣＣＤイメージセンサ３５または３８が捉えた瞳孔の中心と一致させる。次に、瞳孔が当該円からはみ出ない当該円の径を探索する。次に、当該円と瞳孔の外縁との間の距離の最小値が規定の値となるように当該円の径を拡大する。最後に、当該円に外接する矩形の領域をＯＣＴＡに係るスキャン範囲として設定する。図４（Ｂ）には、上述した条件を満たすスキャン範囲を設定した場合の一例が示されている。
【００５８】
ＯＣＴＡスキャン制御部２０５は、ＯＣＴＡスキャン範囲設定部２０４が設定したスキャン範囲でＯＣＴＡのスキャンが行なわれるように、ガルバノスキャナ４２の動作を制御する。
【００５９】
ＯＣＴＡデータ取得部２０６は、ＣＣＤイメージセンサ１１５が検出した干渉光のデータを取得する。本実施形態では、同一箇所に対して４回のスキャンが行なわれる。この４回のスキャンに係る干渉光のデータがＯＣＴＡデータ取得部２０６で取得される。
【００６０】
ＯＣＴＡ画像作成部２０７は、ＯＣＴＡデータ取得部２０６が取得した干渉光のデータに基づいて前眼部のＯＴＣＡ画像（血管の状態を検出した画像）を作成する。ＯＣＴＡ画像の作成方法は、公知の技術を用いて行われる。ＯＣＴＡ画像の作成に関しては、例えば特開２０１７―１４０３０２号公報、特開２０１７−６１７９号公報、特開２０１６−２０２９００号公報等に記載されている。
【００６１】
（動作の一例）
以下、眼科装置１を用いた眼科診断に係る処理の一例を示す。図５は、処理の手順の一例を示したフローチャートである。図５にかかる処理を実行するためのプログラムは、演算制御ユニット２００内の記憶領域に記憶され、動作制御部２０１により実行される。このプログラムを外部の記憶媒体や記憶サーバー等に記憶させ、そこからダウンロードして使用する形態も可能である。
【００６２】
まず、表示装置３の表示画面上において、眼科装置１を操作する検者により、撮影用アイコンが選択されと（ステップＳ１０１）、前眼部のＯＣＴＡ画像の撮影であるのか否かを選択する表示画面となる（ステップＳ１０２）。ここで、前眼部のＯＣＴＡ画像の撮影が選択されると、ステップＳ１０４以下に進む。
【００６３】
前眼部のＯＣＴＡ画像の撮影が選択されなかった場合、ステップＳ１０３に進む。ステップＳ１０３では、眼底の撮影に係る処理が行われる。眼底の撮影としては、眼底カメラによる眼底の撮影、眼底のＯＣＴ撮影、眼底のＯＣＴＡ画像の撮影、眼底の血管造影撮影、ＳＬＯを用いた眼底の撮影等が挙げられる。これらの処理については、通常の処理であるので、説明は省略する。
【００６４】
ステップＳ１０４では、眼底撮影の有無に関する報知が行われる。この例では、眼底の撮影が既に行われているか否かに係るメッセージ、例えば、表示装置３に「既に眼底の撮影は終了していますか？」等の表示が行われる。
【００６５】
また、演算制御ユニット２００の側で当該被検者の眼底の撮影がすでに行われているか否かの判定ができる構成において、この時点で眼底の撮影が行われていないと判定された場合、表示装置３に眼底の撮影を促す表示を行う。例えば、「眼底の撮影がまだの様でありますが、よろしいでしょうか」等の表示が表示装置３に行われる。
【００６６】
通常、被検者の識別コードが電子カルテ等で管理されており、当日既に眼底撮影が行われたか否かは、演算制御ユニット２００の側で判定できる。この判定に基づき、上記の処理が行なわれる。
【００６７】
以下、ステップＳ１０４の処理を行う理由について説明する。後述するように、ステップＳ１０５以下の処理では、被検眼の虹彩を収縮させ、瞳孔を狭める処理が行われる。ところで、一端小さくなった瞳孔は、瞳孔が小さくなる要因となる被検眼への可視光の入射がなくなってもしばらく元の大きさには戻らない（勿論、個人差はある）。
【００６８】
他方で、眼底撮影は、瞳孔を介して行われるので、瞳孔が小さくなった状態では支障が出る（一般に、眼底撮影の際に瞳孔を広げる目薬の滴下が行なわれることは良く知られている）。したがって、眼底撮影が必要な場合、ステップＳ１０５以下の処理を行う前に、眼底撮影を終えていることが検査の効率を高める上で好ましい。
【００６９】
上記の理由により、ステップＳ１０４の処理を行い眼底撮影の有無についての検者へのメッセージを表示装置３に表示する検者処理を行う。この場合、表示装置３が報知部として機能する。なお、ステップＳ１０４の段階で、ステップＳ１０３に進むこともできる。
【００７０】
以下、ステップＳ１０５以下に進んだ場合を説明する。ステップＳ１０５では、ＬＣＤ３９で白色光を発光させる。つまり、被検眼Ｅに強い可視光を刺激光として照射することで、虹彩を収縮させ、瞳孔の径を縮小させる。この際、過度の強い光は被検眼Ｅの負担になるので、ＬＣＤ３９の発光強度は予め調整しておく。
【００７１】
また同時に、後述するステップＳ１０６で得られる瞳孔径の計測値をフィードバックし、瞳孔径が特定の値以下、あるいは瞳孔径の縮小率（縮小後の径／縮小前の径）が特定の値以下となるようにＬＣＤ３９の発光光強度を調整する。この調整は、演算制御ユニット２００の可視光照射制御部２０２で行なわれる。
【００７２】
ステップＳ１０５の処理と同時に、瞳孔径の計測を行う（ステップＳ１０６）。この処理は、演算制御ユニット２００の瞳孔径計測部２０３で行なわれる。次に、前眼部のＯＣＴＡ画像の取得に必要なスキャン範囲の設定を行う（ステップＳ１０７）。この処理は、ＯＴＣＡスキャン範囲設定部２０４で行なわれる。
【００７３】
次に、ステップＳ１０７で設定された範囲に対してＯＣＴＡのデータを取得するためのスキャン（撮影）を行う（ステップＳ１０８）。この処理に係る制御は、ＯＣＴＡスキャン制御部２０５で行なわれる。ＯＣＴＡのデータを得たら、それに基づき、前眼部のＯＣＴＡ画像の作成を行う。
【００７４】
（他の実施形態）
ステップＳ１０５において、被検者の被検眼でない方の眼に白色光を照射する形態も可能である。人体の反応として、眼の一方のみに強い光を当てた場合、この光が入射していない他方の眼にも瞳孔の縮小が生じる。この現象を利用し、被検眼でない方の眼に白色光を照射し、被検眼の瞳孔を縮小させ、ステップＳ１０５以下の処理を行うことができる。
【００７５】
この場合、被検者の被検眼でない方の眼に白色光を当てる光源を眼科装置１に装備させる。そして、この光源の制御が演算制御ユニット２００の可視光照射制御２０２で行なわれる。
【００７６】
この構成は、従来からある前眼部のＯＣＴＡ撮影が可能な機種に適用できる。すなわち、従来からある前眼部のＯＣＴＡ撮影が可能な眼科装置に、被検眼でない方の眼に白色光を照射する光源を、アダプタ等を用いて追加装備し、更に図５の処理を行うための新たな制御プログラムをインストールする。これにより、図１の眼科装置１と同様な機能を有し、図５の処理が可能な眼科装置が得られる。
【００７７】
（優位性）
前眼部のＯＣＴＡ画像の取得に際し、スキャン範囲を狭めるために可視光を被検眼に照射する。これにより、被検眼の虹彩が収縮し、瞳孔が小さくなる。前眼部ＯＣＴＡの対象となる位置は、瞳孔と虹彩の境界付近であるので、瞳孔を小さくすることで、前眼部ＯＣＴＡに必要なスキャンの範囲を狭めることができる。そして、スキャンの範囲を狭めることで、前眼部ＯＣＴＡ画像の取得に必要なスキャンに要する時間を短縮でき、被検者の負担を減らすことができる。また、眼科検査の効率を高めることができる。  
【符号の説明】
【００７８】
１…眼科装置、２…眼底カメラユニット、３…表示装置、１０…照明光学系、１１…観察照明光源、１２…反射ミラー、１３…集光レンズ、１４…可視カットフィルタ、１５…撮影光源、１６…ミラー、１７，１８，２０…リレーレンズ、１９…絞り、２１…孔開きミラー、２２…対物レンズ、３０…光学系、３１…合焦レンズ、３２…ミラー、３３…ダイクロイックミラー、３４…集光レンズ、３５…ＣＣＤイメージセンサ、３６…ミラー、３７…集光レンズ、３８…ＣＣＤイメージセンサ、３９…ＬＣＤ、３９Ａ…ハーフミラー、４０…コリメータレンズユニット、４１…光路長変更部、４２…ガルバノスキャナ、４３…合焦レンズ、４４…ミラー、４５…リレーレンズ、４６…ダイクロイックミラー、５０…アライメント光学系、５５…ダイクロイックミラー、６０…フォーカス光学系、１００…ＯＣＴＡユニット、１０１…光源ユニット、１０２…光ファイバ、１０３…ファイバカプラ、１０４…光ファイバ、１０５…光減衰器、１０６…偏波調整器、１０７，１０８…光ファイバ、１０９…ファイバカプラ、１１１…出射端、１１２…コリメータレンズ、１１３…回折格子、１１４…集光レンズ、１１５…ＣＣＤイメージセンサ。
【図１】
2019165989.tif 000003
【図２】
2019165989.tif 000004
【図３】
2019165989.tif 000005
【図４】
2019165989.tif 000006
【図５】
2019165989.tif 000007